(57)【要約】【課題】  ファイル削除時のユーザの誤操作を防止するファイル管理装置を提供する。【解決手段】  所定の保存場所にファイルを保存するファイル手段と、保存場所の指定を受け付け、指定された保存場所に保存されている任意のファイルを指定可能なウィンドウを表示するファイル指定手段と、指定されたファイルが保存されている保存場所に保存されている任意のファイルを指定可能なウィンドウとは異なるウィンドウで、当該指定されたファイルを、指定するためのショートカットエントリを設定するショートカット設定手段と、指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理手段と、を備える。【選択図】  図１
2005184332.tif 000002
【特許請求の範囲】
【請求項１】
所定の保存場所にファイルを保存するファイル手段と、
保存場所の指定を受け付け、指定された保存場所に保存されている任意のファイルを指定可能なウィンドウを表示するファイル指定手段と、
指定されたファイルが保存されている保存場所に保存されている任意のファイルを指定可能なウィンドウとは異なるウィンドウで、当該指定されたファイルを、指定するためのショートカットエントリを設定するショートカット設定手段と、
指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理手段と、
を備えることを特徴とするファイル管理装置。
【請求項２】
前記保存場所は、フォルダであって、
前記ショートカット設定手段は、指定されたファイルが保存されているフォルダと異なるフォルダに前記ショートカットエントリをファイルとして保存することを特徴とする請求項１に記載のファイル管理装置。
【請求項３】
所定の保存場所にファイルを保存するファイル手段と、
保存場所の指定を受け付け、指定された保存場所に保存されている任意のファイルを指定可能なウィンドウを表示するファイル指定手段と、
指定されたファイルが保存されている保存場所に保存されている任意のファイルを指定可能なウィンドウとは異なるウィンドウで、当該指定されたファイルを、指定するためのショートカットエントリを設定するショートカット設定手段と、
指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段と、
を備えることを特徴とするファイル管理装置。
【請求項４】
前記保存場所は、フォルダであって、
前記ショートカット設定手段は、指定されたファイルが保存されているフォルダと異なるフォルダに前記ショートカットエントリをファイルとして保存することを特徴とする請求項３に記載のファイル管理装置。
【請求項５】
前記ショートカットエントリは、指定されたファイルのサムネイル画像を有し、
前記ファイル指定手段は、指定された保存場所に保存されているファイルが有するサムネイル画像、又は指定された保存場所から当該保存場所と異なる保存場所に保存されているファイルにアクセスするためのショートカットエントリが有するサムネイル画像を、指定可能にウィンドウに表示することを特徴とする請求項１〜４のいずれか一項に記載のファイル管理装置。
【請求項６】
前記ショートカットエントリは、指定されたファイルのサムネイル画像を有し、
前記ファイル指定手段は、指定された保存場所に保存されているファイルが有するサムネイル画像、又は指定された保存場所から当該保存場所と異なる保存場所に保存されているファイルにアクセスするためのショートカットエントリが有するサムネイル画像を、指定可能にウィンドウに表示し、
前記整理手段は、削除指示が受け付けられたファイルを、当該ファイルのショートカットエントリが保存されているフォルダに移動させ、変更後のフォルダで当該ファイルを非表示にすることを特徴とする請求項２に記載のファイル管理装置。
【請求項７】
指定されたショートカットエントリの削除指示を受け付ける第二の整理手段であって、前記整理手段によって移動させられたファイルのショートカットエントリの削除指示を受け付けた場合、削除指示が受け付けられたショートカットエントリと当該ショートカットエントリが設定されているファイルとを削除する第二の整理手段をさらに備えることを特徴とする請求項２又は６に記載のファイル管理装置。
【請求項８】
前記ショートカット設定手段は、前記指定されたファイルのショートカットエントリを設定するとき、前記指定されたファイルとショートカットエントリの保存場所とを対応付けるリンク情報を保存し、
前記整理手段は、前記リンク情報に基づいて、前記削除指示が受け付けられたファイルのショートカットエントリを特定することを特徴とする請求項２又は４に記載のファイル管理装置。
【請求項９】
前記整理手段は、各ショートカットエントリと前記削除指示が受け付けられたファイルの保存場所とを比較し、前記削除指示が受け付けられたファイルのショートカットエントリを特定することを特徴とする請求項２又は４に記載のファイル管理装置。
【請求項１０】
ショートカットエントリが保存されるフォルダが予め決められていることを特徴とする請求項９に記載のファイル管理装置。
【請求項１１】
コンピュータを、
所定の保存場所にファイルを保存するファイル手段と、
保存場所の指定を受け付け、指定された保存場所に保存されている任意のファイルを指定可能なウィンドウを表示するファイル指定手段と、
指定されたファイルが保存されている保存場所に保存されている任意のファイルを指定可能なウィンドウとは異なるウィンドウで、当該指定されたファイルを、指定するためのショートカットエントリを設定するショートカット設定手段と、
指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理手段として機能させることを特徴とするファイル管理プログラム。
【請求項１２】
コンピュータを、
所定の保存場所にファイルを保存するファイル手段と、
保存場所の指定を受け付け、指定された保存場所に保存されている任意のファイルを指定可能なウィンドウを表示するファイル指定手段と、
指定されたファイルが保存されている保存場所に保存されている任意のファイルを指定可能なウィンドウとは異なるウィンドウで、当該指定されたファイルを、指定するためのショートカットエントリを設定するショートカット設定手段と、
指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段として機能させることを特徴とするファイル管理プログラム。
【請求項１３】
所定の保存場所にファイルを保存するファイルステップと、
保存場所の指定を受け付け、指定された保存場所に保存されている任意のファイルを指定可能なウィンドウを表示するファイル指定ステップと、
指定されたファイルが保存されている保存場所に保存されている任意のファイルを指定可能なウィンドウとは異なるウィンドウで、当該指定されたファイルを、指定するためのショートカットエントリを設定するショートカット設定ステップと、
指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理ステップと、
を備えることを特徴とするファイル管理方法。
【請求項１４】
所定の保存場所にファイルを保存するファイルステップと、
保存場所の指定を受け付け、指定された保存場所に保存されている任意のファイルを指定可能なウィンドウを表示するファイル指定ステップと、
指定されたファイルが保存されている保存場所に保存されている任意のファイルを指定可能なウィンドウとは異なるウィンドウで、当該指定されたファイルを、指定するためのショートカットエントリを設定するショートカット設定ステップと、
指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理ステップと、
を備えることを特徴とするファイル管理方法。
【請求項１５】
画像ファイルを入力する入力手段と、
入力された画像ファイルを所定の保存場所に保存するファイル手段と、
保存場所の指定を受け付け、指定された保存場所に保存されている任意の画像ファイルを指定可能なウィンドウを表示するファイル指定手段と、
指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、
指定された画像ファイルを表示する表示手段と、
指定された画像ファイルの削除指示を受け付ける整理手段であって、当該削除指示が受け付けられた画像ファイルに前記ショートカットエントリが設定されている場合、当該削除指示が受け付けられた画像ファイルの保存場所を変更し、当該画像ファイルに設定されているショートカットエントリを変更後の保存場所に応じて変更する整理手段と、
を備えることを特徴とする電子アルバム装置。
【請求項１６】
画像ファイルを入力する入力手段と、
入力された画像ファイルを所定の保存場所に保存するファイル手段と、
保存場所の指定を受け付け、指定された保存場所に保存されている任意の画像ファイルを指定可能なウィンドウを表示するファイル指定手段と、
指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、
指定された画像ファイルを表示する表示手段と、
指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段と、
を備えることを特徴とする電子アルバム装置。
【請求項１７】
被写体の光学像を画像データに変換する撮像手段と、
画像データを所定形式の画像ファイルとして所定の保存場所に保存するファイル手段と、
保存場所の指定を受け付け、指定された保存場所に保存されている任意の画像ファイルを指定可能なウィンドウを表示するファイル指定手段と、
指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、
指定された画像ファイルを表示する表示手段と、
指定された画像ファイルの削除指示を受け付ける整理手段であって、当該削除指示が受け付けられた画像ファイルに前記ショートカットエントリが設定されている場合、削除指示が受け付けられた画像ファイルの保存場所を変更し、当該画像ファイルに設定されているショートカットエントリを変更後の保存場所に応じて変更する整理手段と、
を備えることを特徴とするディジタルカメラ。
【請求項１８】
被写体の光学像を画像データに変換する撮像手段と、
画像データを所定形式の画像ファイルとして所定の保存場所に保存するファイル手段と、
保存場所の指定を受け付け、指定された保存場所に保存されている任意の画像ファイルを指定可能なウィンドウを表示するファイル指定手段と、
指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、
指定された画像ファイルを表示する表示手段と、
指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段と、
を備えることを特徴とするディジタルカメラ。
【発明の詳細な説明】
【技術分野】
【０００１】
本発明はファイル管理装置、ファイル管理プログラム、ファイル管理方法、電子アルバム装置、及びディジタルカメラに関する。
【背景技術】
【０００２】
従来、ディレクトリで管理されている任意のファイルに複数のアクセス経路を設定可能なファイルシステムが知られている（例えば特許文献１参照）。特許文献１には、所謂ショートカットに相当するアルバムファイルが選択されると当該アルバムファイルに含まれるパス名に基づき元画像ファイルを表示する電子アルバム装置が開示されている。
しかし、ショートカットファイルの実体データとその元ファイルの実体データとが別々に存在していると誤解しているユーザは、元ファイルを削除するとそのショートカットファイルからは元ファイルと同一のデータにアクセスできなくなることを知らずに、誤って元ファイルを削除してしまうという問題がある。
一方、複数のフォルダから同一の情報にアクセスできるように複数のフォルダに同一のファイルを保存すると、メモリリソースを浪費することになる。
【０００３】
【特許文献１】特許第３２９１４７９号
【発明の開示】
【発明が解決しようとする課題】
【０００４】
本発明は、上記の問題に鑑みて創作されたものであって、任意のファイルに複数のアクセス経路を設定可能であって、メモリリソースを浪費することなくファイル削除時のユーザの誤操作を防止するファイル管理装置、ファイル管理プログラム、ファイル管理方法、電子アルバム装置、及びディジタルカメラを提供することを目的とする。
【課題を解決するための手段】
【０００５】
上記目的を達成するため、本発明に係るファイル管理装置は、所定の保存場所にファイルを保存するファイル手段と、保存場所の指定を受け付け、指定された保存場所に保存されている任意のファイルを指定可能なウィンドウを表示するファイル指定手段と、指定されたファイルが保存されている保存場所に保存されている任意のファイルを指定可能なウィンドウとは異なるウィンドウで、当該指定されたファイルを、指定するためのショートカットエントリを設定するショートカット設定手段と、指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理手段と、を備える。削除指示が出される前には、当該ファイルが保存されている保存場所に対応するウィンドウと、当該ファイルのショートカットエントリに対応するウィンドウとから、すなわち複数のアクセス経路から、当該ファイルにアクセスすることができる。また、複数のアクセス経路からアクセスされる情報が１つのファイルで保存されるため、メモリリソースを浪費することがない。削除指示が受け付けられたショートカットエントリが設定されているファイルの保存場所を変更し、当該ファイルの変更後の保存場所に応じてショートカットエントリを変更することにより、ショートカットエントリが設定されているファイルに対してユーザが削除指示を出しても変更後のショートカットエントリからフォルダを変更した後のファイルにユーザはアクセスすることができる。したがって、ファイル削除時のユーザの誤操作を防止することができる。また、削除指示が出された後では、当該ファイルのもとの保存場所に対応するウィンドウから当該ファイルにアクセスする経路がなくなるため、ユーザにとってはあたかも削除指示に従ってファイルが削除されたようにＧＵＩが変化する。
【０００６】
さらに本発明に係るファイル管理装置では、前記保存場所は、フォルダであって、前記ショートカット設定手段は、指定されたファイルが保存されているフォルダと異なるフォルダに前記ショートカットエントリをファイルとして保存する。ショートカットエントリを１つのファイルとして保存することにより、ショートカットエントリも、ショートカットエントリに対応するファイルと同様にファイルとして管理されるため、内部処理がユーザにとって理解しやすくなる。
【０００７】
上記目的を達成するため、本発明に係るファイル管理装置は、所定の保存場所にファイルを保存するファイル手段と、保存場所の指定を受け付け、指定された保存場所に保存されている任意のファイルを指定可能なウィンドウを表示するファイル指定手段と、指定されたファイルが保存されている保存場所に保存されている任意のファイルを指定可能なウィンドウとは異なるウィンドウで、当該指定されたファイルを、指定するためのショートカットエントリを設定するショートカット設定手段と、指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段と、を備える。削除指示が出される前には、当該ファイルが保存されている保存場所に対応するウィンドウと、当該ファイルのショートカットエントリに対応するウィンドウとから、すなわち複数のアクセス経路から、当該ファイルにアクセスすることができる。また、複数のアクセス経路からアクセスされる情報が１つのファイルで保存されるため、メモリリソースを浪費することがない。削除指示が受け付けられたショートカットエントリが設定されているファイルの保存場所を当該ショートカットエントリによって指定可能なウィンドウで指定可能な保存場所に変更し、削除指示が受け付けられたファイルのショートカットエントリを削除することにより、当該ショートカットエントリによって特定のファイルを間接的に指定可能であったウィンドウでは、当該ファイルを直接指定することができるようになる。すなわち、ショートカットエントリが設定されているファイルに対してユーザが削除指示を出しても、もとのショートカットエントリに対応するウィンドウから当該ファイルにユーザはアクセスすることができる。また、削除指示が出された後では、当該ファイルのもとの保存場所に対応するウィンドウから当該ファイルにアクセスする経路がなくなるため、ユーザにとってはあたかも削除指示に従ってファイルが削除されたようにＧＵＩが変化する。
【０００８】
さらに本発明に係るファイル管理装置では、前記保存場所は、フォルダであって、前記ショートカット設定手段は、指定されたファイルが保存されているフォルダと異なるフォルダに前記ショートカットエントリをファイルとして保存する。ショートカットエントリを１つのファイルとして保存することにより、ショートカットエントリも、ショートカットエントリに対応するファイルと同様にファイルとして管理されるため、内部処理がユーザにとって理解しやすくなる。
【０００９】
さらに本発明に係るファイル管理装置では、前記ショートカットエントリは、指定されたファイルのサムネイル画像を有し、前記ファイル指定手段は、指定された保存場所に保存されているファイルが有するサムネイル画像、又は指定された保存場所から当該保存場所と異なる保存場所に保存されているファイルにアクセスするためのショートカットエントリが有するサムネイル画像を、指定可能にウィンドウに表示する。ショートカットエントリにサムネイル画像を含めることにより、ショートカットエントリに対応するファイルにアクセスして当該ファイルに含まれるサムネイル画像をショートカットエントリの指定を受け付けるために表示する場合と比較して表示を高速化することができる。
【００１０】
さらに本発明に係るファイル管理装置では、前記ショートカットエントリは、指定されたファイルのサムネイル画像を有し、前記ファイル指定手段は、指定された保存場所に保存されているファイルが有するサムネイル画像、又は指定された保存場所から当該保存場所と異なる保存場所に保存されているファイルにアクセスするためのショートカットエントリが有するサムネイル画像を、指定可能にウィンドウに表示し、前記整理手段は、削除指示が受け付けられたファイルを、当該ファイルのショートカットエントリが保存されているフォルダに移動させ、変更後のフォルダで当該ファイルを非表示にする。削除指示が受け付けられたショートカットエントリが設定されているファイルを当該ショートカットエントリがファイル保存されているフォルダに変更すると当該ショートカットエントリと変更後のファイルが同一のフォルダに保存されるが、変更後のフォルダで当該ファイルを非表示にすることにより、当該ショートカットエントリに含まれるサムネイル画像と変更後のファイルに含まれるサムネイル画像が同一のウィンドウに重複表示されることはない。従って、ウィンドウに同一のサムネイル画像が重複表示されることでユーザが混乱することを防止できる。
【００１１】
さらに本発明に係るファイル管理装置では、指定されたショートカットエントリの削除指示を受け付ける第二の整理手段であって、前記整理手段によって移動させられたファイルのショートカットエントリの削除指示を受け付けた場合、削除指示が受け付けられたショートカットエントリと当該ショートカットエントリが設定されているファイルとを削除する第二の整理手段をさらに備える。ショートカットエントリが設定されているファイルに対する削除指示が出された後に、さらに当該ショートカットエントリに対する削除指示が出されてはじめて当該ファイルが削除されるため、ユーザにとっては、ショートカットファイルに対する削除指示に従って、あたかも、ショートカットエントリが設定されているファイルとは別個独立して存在していたショートカットエントリの実体ファイルが削除されたようにＧＵＩが変化する。
【００１２】
さらに本発明に係るファイル管理装置では、前記ショートカット設定手段は、前記指定されたファイルのショートカットエントリを設定するとき、前記指定されたファイルとショートカットエントリの保存場所とを対応付けるリンク情報を保存し、前記整理手段は、前記リンク情報に基づいて、前記削除指示が受け付けられたファイルのショートカットエントリを特定する。リンク情報に基づいて削除指示が受け付けられたファイルのショートカットエントリを特定することにより、当該特定に係る処理を軽減できる。
【００１３】
さらに本発明に係るファイル管理装置では、前記整理手段は、各ショートカットエントリと前記削除指示が受け付けられたファイルの保存場所とを比較し、前記削除指示が受け付けられたファイルのショートカットエントリを特定する。各ショートカットエントリと前記削除指示が受け付けられたファイルの保存場所とを比較してショートカットエントリを特定することにより、ファイルにショートカットエントリの保存場所を対応付ける情報を別途保存することなくショートカットエントリを検索することができる。
【００１４】
さらに本発明に係るファイル管理装置では、ショートカットエントリが保存されるフォルダが予め決められている。削除指示が受け付けられたファイルのショートカットエントリを検索して特定する場合の検索領域を当該フォルダに限定することにより、当該検索に係る処理を軽減できる。
【００１５】
上記目的を達成するため、本発明に係るファイル管理プログラムは、コンピュータを、所定の保存場所にファイルを保存するファイル手段と、保存場所の指定を受け付け、指定された保存場所に保存されている任意のファイルを指定可能なウィンドウを表示するファイル指定手段と、指定されたファイルが保存されている保存場所に保存されている任意のファイルを指定可能なウィンドウとは異なるウィンドウで、当該指定されたファイルを、指定するためのショートカットエントリを設定するショートカット設定手段と、指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理手段として機能させる。削除指示が出される前には、当該ファイルが保存されている保存場所に対応するウィンドウと、当該ファイルのショートカットエントリに対応するウィンドウとから、すなわち複数のアクセス経路から、当該ファイルにアクセスすることができる。また、複数のアクセス経路からアクセスされる情報が１つのファイルで保存されるため、メモリリソースを浪費することがない。削除指示が受け付けられたショートカットエントリが設定されているファイルの保存場所を変更し、変更後の保存場所に応じてショートカットエントリを変更することにより、ショートカットエントリが設定されているファイルに対してユーザが削除指示を出しても変更後のショートカットエントリから保存場所を変更した後のファイルにユーザはアクセスすることができる。また、削除指示が出された後では、当該ファイルのもとの保存場所に対応するウィンドウから当該ファイルにアクセスする経路がなくなるため、ユーザにとってはあたかも削除指示に従ってファイルが削除されたようにＧＵＩが変化する。
【００１６】
上記目的を達成するため、本発明に係るファイル管理プログラムは、コンピュータを、所定の保存場所にファイルを保存するファイル手段と、保存場所の指定を受け付け、指定された保存場所に保存されている任意のファイルを指定可能なウィンドウを表示するファイル指定手段と、指定されたファイルが保存されている保存場所に保存されている任意のファイルを指定可能なウィンドウとは異なるウィンドウで、当該指定されたファイルを、指定するためのショートカットエントリを設定するショートカット設定手段と、指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段として機能させる。削除指示が出される前には、当該ファイルが保存されている保存場所に対応するウィンドウと、当該ファイルのショートカットエントリに対応するウィンドウとから、すなわち複数のアクセス経路から、当該ファイルにアクセスすることができる。また、複数のアクセス経路からアクセスされる情報が１つのファイルで保存されるため、メモリリソースを浪費することがない。削除指示が受け付けられたショートカットエントリが設定されているファイルの保存場所を当該ショートカットエントリによって指定可能なウィンドウで指定可能な保存場所に変更し、削除指示が受け付けられたファイルのショートカットエントリを削除することにより、当該ショートカットエントリによって特定のファイルを間接的に指定可能であったウィンドウでは、当該ファイルを直接指定することができるようになる。すなわち、ショートカットエントリが設定されているファイルに対してユーザが削除指示を出しても、もとのショートカットエントリに対応するウィンドウから当該ファイルにユーザはアクセスすることができる。また、削除指示が出された後では、当該ファイルのもとの保存場所に対応するウィンドウから当該ファイルにアクセスする経路がなくなるため、ユーザにとってはあたかも削除指示に従ってファイルが削除されたようにＧＵＩが変化する。
【００１７】
上記目的を達成するため、本発明に係るファイル管理方法は、所定の保存場所にファイルを保存するファイルステップと、保存場所の指定を受け付け、指定された保存場所に保存されている任意のファイルを指定可能なウィンドウを表示するファイル指定ステップと、指定されたファイルが保存されている保存場所に保存されている任意のファイルを指定可能なウィンドウとは異なるウィンドウで、当該指定されたファイルを、指定するためのショートカットエントリを設定するショートカット設定ステップと、指定されたファイルの削除指示を受け付ける整理手段であって、当該削除指示が受け付けられたファイルに前記ショートカットエントリが設定されている場合、当該削除指示が受け付けられたファイルの保存場所を変更し、当該ファイルに設定されているショートカットエントリを変更後の保存場所に応じて変更する整理ステップと、を備える。削除指示が出される前には、当該ファイルに保存されている保存場所に対応するウィンドウと、当該ファイルのショートカットエントリに対応するウィンドウとから、すなわち複数のアクセス経路から、当該ファイルにアクセスすることができる。また、複数のアクセス経路からアクセスされる情報が１つのファイルで保存されるため、メモリリソースを浪費することがない。削除指示が受け付けられたショートカットエントリが設定されているファイルの保存場所を変更し、当該ファイルの変更後の保存場所に応じてショートカットエントリを変更することにより、ショートカットエントリが設定されているファイルに対してユーザが削除指示を出しても変更後のショートカットエントリからフォルダを変更した後のファイルにユーザはアクセスすることができる。また、削除指示が出された後では、当該ファイルのもとの保存場所に対応するウィンドウから当該ファイルにアクセスする経路がなくなるため、ユーザにとってはあたかも削除指示に従ってファイルが削除されたようにＧＵＩが変化する。
【００１８】
上記目的を達成するため、本発明に係るファイル管理方法は、所定の保存場所にファイルを保存するファイルステップと、保存場所の指定を受け付け、指定された保存場所に保存されている任意のファイルを指定可能なウィンドウを表示するファイル指定ステップと、指定されたファイルが保存されている保存場所に保存されている任意のファイルを指定可能なウィンドウとは異なるウィンドウで、当該指定されたファイルを、指定するためのショートカットエントリを設定するショートカット設定ステップと、指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理ステップと、を備える。削除指示が出される前には、当該ファイルが保存されている保存場所に対応するウィンドウと、当該ファイルのショートカットエントリに対応するウィンドウとから、すなわち複数のアクセス経路から、当該ファイルにアクセスすることができる。また、複数のアクセス経路からアクセスされる情報が１つのファイルで保存されるため、メモリリソースを浪費することがない。削除指示が受け付けられたショートカットエントリが設定されているファイルの保存場所を当該ショートカットエントリによって指定可能なウィンドウで指定可能な保存場所に変更し、削除指示が受け付けられたファイルのショートカットエントリを削除することにより、当該ショートカットエントリによって特定のファイルを間接的に指定可能であったウィンドウでは、当該ファイルを直接指定することができるようになる。すなわち、ショートカットエントリが設定されているファイルに対してユーザが削除指示を出しても、もとのショートカットエントリに対応するウィンドウから当該ファイルにユーザはアクセスすることができる。また、削除指示が出された後では、当該ファイルのもとの保存場所に対応するウィンドウから当該ファイルにアクセスする経路がなくなるため、ユーザにとってはあたかも削除指示に従ってファイルが削除されたようにＧＵＩが変化する。
【００１９】
上記目的を達成するため、本発明に係る電子アルバム装置は、画像ファイルを入力する入力手段と、入力された画像ファイルを所定の保存場所に保存するファイル手段と、保存場所の指定を受け付け、指定された保存場所に保存されている任意の画像ファイルを指定可能なウィンドウを表示するファイル指定手段と、指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、指定された画像ファイルを表示する表示手段と、指定された画像ファイルの削除指示を受け付ける整理手段であって、当該削除指示が受け付けられた画像ファイルに前記ショートカットエントリが設定されている場合、当該削除指示が受け付けられた画像ファイルの保存場所を変更し、当該画像ファイルに設定されているショートカットエントリを変更後の保存場所に応じて変更する整理手段と、を備える。削除指示が出される前には、当該画像ファイルに保存されている保存場所に対応するウィンドウと、当該画像ファイルのショートカットエントリに対応するウィンドウとから、すなわち複数のアクセス経路から、当該画像ファイルにアクセスすることができる。また、複数のアクセス経路からアクセスされる情報が１つのファイルで保存されるため、メモリリソースを浪費することがない。削除指示が受け付けられたショートカットエントリが設定されている画像ファイルの保存場所を変更し、当該画像ファイルの変更後の保存場所に応じてショートカットエントリを変更することにより、ショートカットエントリが設定されている画像ファイルに対してユーザが削除指示を出しても変更後のショートカットエントリからフォルダを変更した後の画像ファイルにユーザはアクセスすることができる。また、削除指示が出された後では、当該画像ファイルのもとの保存場所に対応するウィンドウから当該画像ファイルにアクセスする経路がなくなるため、ユーザにとってはあたかも削除指示に従って画像ファイルが削除されたようにＧＵＩが変化する。
【００２０】
上記目的を達成するため、本発明に係る電子アルバム装置は、画像ファイルを入力する入力手段と、入力された画像ファイルを所定の保存場所に保存するファイル手段と、保存場所の指定を受け付け、指定された保存場所に保存されている任意の画像ファイルを指定可能なウィンドウを表示するファイル指定手段と、指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、指定された画像ファイルを表示する表示手段と、指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段と、を備える。削除指示が出される前には、当該画像ファイルが保存されている保存場所に対応するウィンドウと、当該画像ファイルのショートカットエントリに対応するウィンドウとから、すなわち複数のアクセス経路から、当該画像ファイルにアクセスすることができる。また、複数のアクセス経路からアクセスされる情報が１つのファイルで保存されるため、メモリリソースを浪費することがない。削除指示が受け付けられたショートカットエントリが設定されている画像ファイルの保存場所を当該ショートカットエントリによって指定可能なウィンドウで指定可能な保存場所に変更し、削除指示が受け付けられた画像ファイルのショートカットエントリを削除することにより、当該ショートカットエントリによって特定の画像ファイルを間接的に指定可能であったウィンドウでは、当該画像ファイルを直接指定することができるようになる。すなわち、ショートカットエントリが設定されている画像ファイルに対してユーザが削除指示を出しても、もとのショートカットエントリに対応するウィンドウから当該画像ファイルにユーザはアクセスすることができる。また、削除指示が出された後では、当該画像ファイルのもとの保存場所に対応するウィンドウから当該画像ファイルにアクセスする経路がなくなるため、ユーザにとってはあたかも削除指示に従って画像ファイルが削除されたようにＧＵＩが変化する。
【００２１】
上記目的を達成するため、本発明に係るディジタルカメラは、被写体の光学像を画像データに変換する撮像手段と、画像データを所定形式の画像ファイルとして所定の保存場所に保存するファイル手段と、保存場所の指定を受け付け、指定された保存場所に保存されている任意の画像ファイルを指定可能なウィンドウを表示するファイル指定手段と、指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、指定された画像ファイルを表示する表示手段と、指定された画像ファイルの削除指示を受け付ける整理手段であって、当該削除指示が受け付けられた画像ファイルに前記ショートカットエントリが設定されている場合、削除指示が受け付けられた画像ファイルの保存場所を変更し、当該画像ファイルに設定されているショートカットエントリを変更後の保存場所に応じて変更する整理手段と、を備える。削除指示が出される前には、当該画像ファイルに保存されている保存場所に対応するウィンドウと、当該画像ファイルのショートカットエントリに対応するウィンドウとから、すなわち複数のアクセス経路から、当該画像ファイルにアクセスすることができる。また、複数のアクセス経路からアクセスされる情報が１つのファイルで保存されるため、メモリリソースを浪費することがない。削除指示が受け付けられたショートカットエントリが設定されている画像ファイルの保存場所を変更し、当該画像ファイルの変更後の保存場所に応じてショートカットエントリを変更することにより、ショートカットエントリが設定されている画像ファイルに対してユーザが削除指示を出しても変更後のショートカットエントリからフォルダを変更した後の画像ファイルにユーザはアクセスすることができる。また、削除指示が出された後では、当該画像ファイルのもとの保存場所に対応するウィンドウから当該画像ファイルにアクセスする経路がなくなるため、ユーザにとってはあたかも削除指示に従って画像ファイルが削除されたようにＧＵＩが変化する。
【００２２】
上記目的を達成するため、本発明に係るディジタルカメラは、被写体の光学像を画像データに変換する撮像手段と、画像データを所定形式の画像ファイルとして所定の保存場所に保存するファイル手段と、保存場所の指定を受け付け、指定された保存場所に保存されている任意の画像ファイルを指定可能なウィンドウを表示するファイル指定手段と、指定された画像ファイルが保存されている保存場所に保存されている任意の画像ファイルを指定可能なウィンドウとは異なるウィンドウで、当該指定された画像ファイルを、指定するためのショートカットエントリを設定するショートカット設定手段と、指定された画像ファイルを表示する表示手段と、指定されたファイルの削除指示を受け付ける整理手段であって、当該削除指示が受け付けられたファイルに前記ショートカットエントリが設定されている場合、当該削除指示が受け付けられたファイルを当該ショートカットエントリによって指定可能なウィンドウで指定可能な保存場所に移動させ、当該削除指示が受け付けられたファイルのショートカットエントリを削除する整理手段と、を備える。削除指示が出される前には、当該画像ファイルが保存されている保存場所に対応するウィンドウと、当該画像ファイルのショートカットエントリに対応するウィンドウとから、すなわち複数のアクセス経路から、当該画像ファイルにアクセスすることができる。また、複数のアクセス経路からアクセスされる情報が１つのファイルで保存されるため、メモリリソースを浪費することがない。削除指示が受け付けられたショートカットエントリが設定されている画像ファイルの保存場所を当該ショートカットエントリによって指定可能なウィンドウで指定可能な保存場所に変更し、削除指示が受け付けられた画像ファイルのショートカットエントリを削除することにより、当該ショートカットエントリによって特定の画像ファイルを間接的に指定可能であったウィンドウでは、当該画像ファイルを直接指定することができるようになる。すなわち、ショートカットエントリが設定されている画像ファイルに対してユーザが削除指示を出しても、もとのショートカットエントリに対応するウィンドウから当該画像ファイルにユーザはアクセスすることができる。また、削除指示が出された後では、当該画像ファイルのもとの保存場所に対応するウィンドウから当該画像ファイルにアクセスする経路がなくなるため、ユーザにとってはあたかも削除指示に従って画像ファイルが削除されたようにＧＵＩが変化する。
【発明を実施するための最良の形態】
【００２３】
以下、本発明の実施の形態を複数の実施例に基づいて説明する。
（第一実施例）
図２は本発明の第一実施例による電子アルバム装置１の外観を示す斜視図である。電子アルバム装置１の前面にはＬＣＤ４、メニューボタン６、十字キー８、決定ボタン１０、キャンセルボタン１２が配置されている。電子アルバム装置１の側面に設けられたメモリスロット１４にはリムーバブルメモリ１６が脱着自在に接続される。電子アルバム装置１は、デジタルカメラ等によってリムーバブルメモリ１６に保存された画像ファイルを後述する画像保管庫フォルダに一括コピーし、一括コピーされた任意の画像ファイルをＬＣＤ４に表示するものである。また、電子アルバム装置１は、画像保管庫フォルダに一括コピーされた任意の画像ファイルに対応するショートカットファイルを作成でき、アルバム保管庫フォルダに整理して保存されたショートカットファイルからも画像ファイルにアクセスして画像ファイルをＬＣＤ４に表示することができる。
【００２４】
図３は電子アルバム装置１のハードウェア構成を示すブロック図である。電子アルバム装置１は、制御部１８、表示部２２、記憶部２４、操作部２６、及び、入力部２８を備え、それらはバス３０で相互に接続されている。
制御部１８は、図示しないＣＰＵ、メモリ等を備える。ＣＰＵは、制御部１８内のメモリまたは後述する記憶部２４に格納されたプログラムを実行して電子アルバム装置１の各部を制御する。
表示部２２は、ＬＣＤ４、図示しない表示制御用のＡＳＩＣ（Application Specific Integrated Circuit）等を備える。
【００２５】
記憶部２４は、ハードディスク、ハードディスクコントローラ等を備える。記憶部２４には、画像ファイル、ショートカットファイル４０、電子アルバム装置を制御するプログラム等が格納される。
操作部２６は、メニューボタン６、十字キー８、決定ボタン１０、キャンセルボタン１２等を備える。メニューボタン６、十字キー８、決定ボタン１０、キャンセルボタン１２等を操作することによりＬＣＤ４に表示されるメニューを操作することができる。
入力部２８は、メモリスロット１４、図示しないメモリコントローラ等を備える。リムーバブルメモリ１６に記憶されているデータは入力部２８を介して記憶部２４に保存される。
【００２６】
図４は、電子アルバム装置１の機能ブロック図である。
入力手段６１は、リムーバブルメモリ１６に保存されたデータを入力する手段である。
ファイル手段６０は、記憶部２４の画像保管庫フォルダ５０にリムーバブルメモリ毎のサブフォルダを作成し、リムーバブルメモリ１６から入力されたデータをサブフォルダに一括して保存する。ファイル手段６０は、リムーバブルメモリ１６に保存されているデータを一括して保存する日の年月日を表すフォルダ名を各サブフォルダに付与する。
【００２７】
ファイル指定手段６２は、記憶部２４のフォルダ及び画像ファイルのアイコンをフォルダ毎にＬＣＤ４に表示し、フォルダ及びファイルの指定を受け付ける。以下の説明では、ファイル指定手段６２は、ＬＣＤ４に一つのウィンドウを全画面表示するものとして説明するが、複数のウィンドウを一画面に同時に表示してもよい。画像保管庫フォルダ、アルバム保管庫フォルダ、アルバムフォルダ等は、請求項に記載のエントリに相当する。
【００２８】
表示手段６３は、ファイル指定手段６２で指定された画像ファイルに格納された本画像データが表す画像をＬＣＤ４に全画面表示する。
ショートカット設定手段６４は、ファイル指定手段６２で指定された画像ファイルについてショートカット設定要求を受け付けると、画像ファイル３２のパス名と当該画像ファイル３２のサムネイル画像データを含むショートカットファイルをアルバム保管庫フォルダの所定のアルバムフォルダに保存する。
【００２９】
整理手段６６は、ファイル指定手段６２により指定された画像ファイルについて削除要求を受け付けると、指定された画像ファイル３２に対応するショートカットファイルが存在しなければ、当該画像ファイルを削除する。当該画像ファイルに対応するショートカットファイルが存在する場合には、整理手段６６は、当該画像ファイルを当該ショートカットファイルが保存されているフォルダに移動させ、当該ショートカットファイルに保存されている画像ファイルのパス名を移動後のフォルダに応じて変更する。
【００３０】
第二整理手段６６は、整理手段６６によってショートカットファイルが保存されているフォルダに移動された画像ファイル３２のショートカットファイル４０について削除要求を受け付けると、指定されたショートカットファイル４０と移動後の画像ファイル３２とを削除する。
【００３１】
図５は、リムーバブルメモリ１６に保存されているデータを一括して記憶部２４に保存する処理で表示される画面の遷移を示す図である。図６及び図７は、リムーバブルメモリ１６に保存されているデータを一括して記憶部２４に保存する処理の前後における記憶部２４及びリムーバブルメモリ１６のディレクトリを示す模式図である。図８は、リムーバブルメモリ１６に保存されているデータを一括して記憶部２４に保存する処理の流れを示すフローチャートである。以下、リムーバブルメモリ１６に保存されているデータを一括して記憶部２４に保存する処理について説明する。
【００３２】
電子アルバム装置１の電源が投入されると、図５に示すようにメインメニューを表す画面３００がＬＣＤ４に表示される。十字キー８の操作により「記憶部にコピー」が選択された状態で決定ボタン１０が押されると、図８に示すように、ファイル手段６０が当日の年月日を表すフォルダ名（例えば２００３年１１月１１日を表す「２００３１１１１」）のカードフォルダ５２（図７参照）を記憶部２４の画像保管庫フォルダ５０に作成し（Ｓ１０）、リムーバブルメモリ１６に保存されている画像ファイル３２（例えば木．ｅｘｉｆ、顔．ｅｘｉｆ、花．ｅｘｉｆ、及び海．ｅｘｉｆ）をカードフォルダ５２にコピーする（Ｓ１１）。このとき、図５に示すようにコピーが終了するまでの期間、進捗状況を表す画面３０２が表示される。
【００３３】
次に、画像保管庫フォルダ５０に記憶されている画像データを表示し、画像保管庫フォルダ５０に記憶されている画像データについてショートカットファイル４０を設定する処理について説明する。
図９は、この一連の処理で表示される画面の遷移を示す模式図である。図１０及び図１１は、画像保管庫フォルダ５０に記憶されている画像データ３２についてショートカットファイル４０を設定する処理の前後における記憶部２４及びリムーバブルメモリ１６のディレクトリを示す模式図である。図１２は、ショートカットファイル４０を設定する処理を示すフローチャートである。
【００３４】
十字キー８の操作により画面３００で「写真を見る」が選択された状態で決定ボタン１０が押されると、アルバム保管庫フォルダ５４、画像保管庫フォルダ５０、リムーバブルメモリ１６のいずれに記憶されている画像ファイルを表示するかをユーザに選択させるための画面３０４をファイル指定手段６２がＬＣＤ４に表示する。
十字キー８の操作により画面３０４で「画像保管庫」が選択された状態で決定ボタン１０が押されると、ファイル指定手段６２は、画像保管庫フォルダ５０に保存されているカードフォルダ５２のアイコン１００の一覧を表示する画面３０６をＬＣＤ４に表示する。
十字キー８の操作により画面３０６でカードフォルダ５２のアイコン１００が選択され決定ボタン１０が押されると、ファイル指定手段６２は、選択されたアイコン１００に対応するカードフォルダ５２に保存されている画像ファイルのアイコン１０２の一覧を表示する画面３０８をＬＣＤ４に表示する。各画像ファイルのアイコン１０２は、対応する画像ファイルに記憶されているサムネイル画像データに基づいて表示されるものであって、対応する画像ファイルが表す画像を表している。
十字キー８の操作により画面３０８でいずれかのアイコン１０２（例えば顔のアイコン）が選択され決定ボタン１０が押されると、選択されたアイコン１０２に対応する画像ファイル３２（例えば顔．ｅｘｉｆ）に記憶されている本画像データに基づいて当該画像ファイルが表す画像がＬＣＤ４に全画面表示される。
【００３５】
画像ファイル３２が表す画像がＬＣＤ４に全画面表示された画面３１０でメニューボタン６が押されると、当該画像ファイル３２に対して要求可能なコマンドを選択するための画面３１２がＬＣＤ４に表示される。十字キー８の操作により画面３１２で「アルバムに登録する」が選択され決定ボタン１０が押されると、ショートカット設定要求が受け付けられ、ショートカットファイルの保存先フォルダを選択するための画面３１４がＬＣＤ４に表示される。
十字キー８の操作により画面３１４でショートカットファイルの保存先フォルダに対応する項目（例えば「旅行」）が選択された状態で決定ボタン１０が押されると、ショートカット設定手段６４は、アルバム保管庫フォルダ５４に従属している保存先フォルダ（例えば「旅行」アルバムフォルダ）にショートカットファイル４０（例えば顔．ｓｃ）を生成し（Ｓ２０）、全画面表示されている画像ファイル３２のパス名（例えば￥記憶部￥画像保管庫￥２００３１１１１￥顔．ｅｘｉｆ）をショートカットファイル４０に保存し（Ｓ２１）、全画面表示されている画像ファイル３２のサムネイル画像データをショートカットファイル４０に保存する（Ｓ２２）。ショートカットファイルを保存する処理は、請求項に記載のショートカットエントリを設定する処理に対応する。
【００３６】
次に、アルバム保管庫フォルダ５４に保存されたショートカットファイルにアクセスして画像ファイルを表示する処理について説明する。
図１３は、アルバム保管庫フォルダ５４に保存されたショートカットファイル４０にアクセスして画像ファイル３２を表示する処理で表示される画面の遷移を示す図である。
【００３７】
画面３０４で「アルバム保管庫」が選択された状態で決定ボタン１０が押されると、ファイル指定手段６２は、アルバム保管庫フォルダ５４に従属しているアルバムフォルダ５６のアイコン１０４の一覧を表示する画面３１６をＬＣＤ４に表示する。
十字キー８の操作により画面３１６でアルバムフォルダ５６のアイコン１０４が選択され決定ボタン１０が押されると、ファイル指定手段６２は、選択されたアイコンに対応するアルバムフォルダ５６に従属しているショートカットファイル４０（例えば、図１１に示す「もみじ．ｓｃ」、「木．ｓｃ」、及び「顔．ｓｃ」）のアイコン１０６の一覧を表示する画面３１８をＬＣＤ４に表示する。各アイコン１０６は、対応するショートカットファイル４０に格納されているサムネイル画像データに基づいて表示されるものであって、ショートカットファイル４０からアクセスする画像ファイルが表す画像を表している。
十字キー８の操作により画面３１８でいずれかのアイコン１０６（例えば、「顔」）が選択され決定ボタン１０が押されると、選択されたアイコン１０６に対応するショートカットファイル４０（例えば、顔．ｓｃ）に記憶されている画像ファイル３２のパス名に基づいて当該画像ファイル３２（例えば、顔．ｅｘｉｆ）が開かれ、当該画像ファイル３２の本画像データがＬＣＤ４に全画面表示される。
【００３８】
次に、画像保管庫フォルダ５０に保存されている画像ファイル３２を削除する処理について説明する。
図１４は、画像保管庫フォルダ５０に保存されている画像ファイル３２を削除する処理で表示される画面の遷移を示す図である。図１５及び図１６は、画像ファイル３２を削除する処理の前後における記憶部２４及びリムーバブルメモリ１６のディレクトリを示す模式図である。図１は、画像ファイル３２を削除する処理の流れを示すフローチャートである。
【００３９】
図１４に示すように前述の画像保管庫フォルダ５０に記憶されている画像ファイル３２の本画像データが全画面表示された画面３２２でメニューボタン６が押されると、当該画像ファイルに対して要求可能なコマンドを選択するための画面３１２がＬＣＤ４に表示される。十字キー８の操作により画面３１２で「削除する」が選択された状態で決定ボタン１０が押されると、図１に示すように整理手段６６は、当該画像ファイル３２のパス名（例えば、「￥記憶部￥画像保管庫￥２００３１１１１￥花．ｅｘｉｆ」）とアルバムフォルダ５６に保存されているショートカットファイル４０に格納されているパス名を逐一比較することにより、全画面表示されている画像ファイル３２（例えば、花．ｅｘｉｆ）に対応するショートカットファイル４０（例えば、花．ｓｃ）がアルバム保管庫フォルダ５４に保存されているか否かを判断する（Ｓ３０）。ショートカットファイル４０の保存場所がアルバム保管庫フォルダ５４に限定されているため、この判断に要する処理量は抑制されている。
尚、図２１（ａ）に示すように、画像保管庫フォルダ５０に保存されている各画像ファイル３２に対応するショートカットファイル４０を示す一覧表９０を管理しておき、全画面表示されている画像ファイル３２に対応するショートカットファイル４０がアルバム保管庫フォルダ５４に保存されているか否かを一覧表９０に基づいて判断してもよい。また、図２１（ｂ）に示すように、対応するショートカットファイル４０のパス名を各画像ファイル３２に格納し、画像ファイル３２に格納されたパス名に基づいてショートカットファイル４０がアルバム保管庫フォルダ５４に保存されているか否かを判断してもよい。
対応するショートカットファイル４０がアルバム保管庫フォルダ５４に保存されている場合、整理手段６６は当該画像ファイルを当該ショートカットファイル４０が保存されているアルバムフォルダ５６（例えば、「旅」アルバムフォルダ）に移動させる（Ｓ３１）。次に、整理手段６６は移動後の画像ファイル３２を非表示属性に変更する。具体的には例えば、ファイルの拡張子を、ファイル指定手段６２によって表示されないファイルの拡張子である「．ｔｍｐ」（例えば、「￥記憶部￥アルバム保管庫￥旅￥花．ｔｍｐ」）に変更する（Ｓ３２）。次に、当該ショートカットファイル４０に含まれるパス名を移動後の画像ファイル３２に変更する（Ｓ３３）。
尚、画像ファイル３２のファイル名の先頭に付加する特定の文字、数字等で非表示属性を表してもよいし、画像ファイル３２のヘッダ等に非表示の属性情報を記録してもよい。
一方、対応するショートカットファイル４０がアルバム保管庫フォルダ５４に保存されていない場合、整理手段６６は全画面表示されている画像ファイル３２（例えば、海．ｅｘｉｆ）を削除する（Ｓ３４）。
【００４０】
次に、ショートカットファイル４０を削除する処理について説明する。
図１７は、ショートカットファイル４０を削除する処理で表示される画面の遷移を示す図である。図１８及び図１９は、ショートカットファイル４０を削除する処理の前後における記憶部２４及びリムーバブルメモリ１６のディレクトリを示す模式図である。図２０は、ショートカットファイル４０を削除する処理の流れを示すフローチャートである。
【００４１】
本画像データがＬＣＤ４に全画面表示された画像ファイル３２に対して要求可能なコマンドを選択するための画面３１２（図１７参照）がＬＣＤ４に表示された状態で十字キー８の操作により画面３１２で「削除する」が選択され決定ボタン１０が押されると、図２０に示すように第二整理手段６８は、過去に当該画像ファイル３２に対して直接削除指示が受け付けられているか否かを判断する。具体的には例えば、当該画像ファイル３２がアルバム保管庫フォルダ５４に保存されているか否かによって判断する。（Ｓ４０）。
対応するショートカットファイル４０が既に削除されている場合、第二整理手段６８は当該ショートカットファイル４０（例えば、花．ｓｃ）と当該画像ファイル３２（例えば、花．ｔｍｐ）を削除する（Ｓ４１、Ｓ４２）。尚、過去に当該画像ファイル３２に対して直接削除指示が受け付けられていたとしても、前述した対応表９０を参照し、当該画像ファイル３２に対応するショートカットファイル４０が複数存在している場合には、ショートカットファイル４０だけを削除することが望ましい。
一方、対応するショートカットファイルが削除されていない場合、第二整理手段６８は全画面表示されている画像ファイル３２（例えば、木．ｅｘｉｆ）に対応するショートカットファイル４０（例えば、木．ｓｃ）を削除する（Ｓ４３）。
【００４２】
以上説明した本発明の第一実施例によれば、画像ファイル３２のショートカットファイル４０をアルバムフォルダ５６に保存すると、画像保管庫フォルダ５４に保存されているファイル３２を選択可能に示す画面と、アルバム保管庫フォルダ５４に保存されているファイルを選択可能に示す画面とから、すなわち、複数のアクセス経路から、１つの画像ファイル３２にアクセスすることができる。また、画像保管庫フォルダ５０とアルバム保管庫フォルダ５４に同一の画像ファイル３２を重複保存しないので、記憶部の容量を浪費することがない。さらに、ショートカットファイル４０が設定されている画像ファイル３２の削除指示が受け付けられると、ユーザにとってはあたかも削除指示に従ってファイルが削除されたようにＧＵＩが変化する一方で、ショートカットファイル４０からは削除指示が受け付けられた画像ファイル３２に依然としてアクセスすることができる。したがって、画像ファイル３２削除時のユーザの誤操作を防止することができる。
さらに、複数のアクセス経路から、１つの画像ファイルに複数の経路からアクセスするための情報をファイル（ショートカットファイル）で管理するため、１つの画像ファイル３２に複数の経路からアクセスするための情報を管理するための内部処理がユーザにとって理解しやすくなる。具体的には例えば、電子アルバム装置１が他のコンピュータシステムと接続され、ネットワークストレージとして機能する場合などに他のコンピュータシステムから電子アルバム装置１内のデータにアクセスすることが容易になる。
【００４３】
さらに、ショートカットファイル４０に格納されたサムネイル画像データをＬＣＤ４に表示することにより、アルバム保管庫５４に保存された画像ファイル３２をＬＣＤ４に高速にプレビュー表示することができる。
さらに、画像ファイル３２がアルバム保管庫フォルダ５４内に移動すると、画像ファイル３２が非表示になるため、アルバム保管庫フォルダ５４からアクセス可能なファイル一覧を示す画面において同一のサムネイル画像が重複表示されることでユーザが混乱することを防止できる。
【００４４】
（第二実施例）
第二実施例の電子アルバム装置１は、画像保管庫フォルダ５０に保存されている画像ファイル３２について直接削除が受け付けられた場合の処理が第一実施例と異なる。
図２２は、ディレクトリが図１５に示した状態で画像ファイル３２「花．ｅｘｉｆ」について直接削除指示が受け付けられた直後における記憶部２４及びリムーバブルメモリ１６のディレクトリを示す模式図である。図２３は、ショートカットファイル４０を削除する処理の流れを示すフローチャートである。第一実施例の構成要素と対応する構成要素については同一の符号を用いて説明する。
【００４５】
整理手段６６は、整理手段６６は、ファイル指定手段６２で指定された画像ファイル３２について削除要求を受け付けると、当該画像ファイル３２（例えば、花．ｅｘｉｆ）に対応するショートカットファイル４０（例えば、花．ｓｃ）がアルバム保管庫フォルダ５４に保存されているか否かを判断する（Ｓ５０）。
対応するショートカットファイル４０がアルバム保管庫フォルダ５４に保存されている場合、整理手段６６は当該画像ファイル３２を当該ショートカットファイル４０が保存されているアルバムフォルダ５６（例えば、「旅」アルバムフォルダ）に移動させ（Ｓ５１）、続いて、当該ショートカットファイル４０を削除する（Ｓ５２）。
一方、当該ショートカットファイル４０がアルバム保管庫フォルダ５４に保存されていない場合、整理手段６６は全画面表示されている画像ファイル３２（例えば、海．ｅｘｉｆ）を削除する（Ｓ５３）。
【００４６】
本発明の第二実施例によれば、ユーザにとってはあたかも削除指示に従ってファイルが削除されたようにＧＵＩが変化する一方で、ショートカットファイル４０が保存されていたフォルダからは、削除指示が受け付けられた画像ファイル３２に依然としてアクセスすることができる。したがって、画像ファイル３２削除時のユーザの誤操作を防止することができる。
【００４７】
以上説明した第一実施例及び第二実施例では、ショートカットファイル４０を保存することにより、画像ファイル３２のショートカットエントリを設定する例について説明したが、ショートカットエントリは画像ファイルの追加的なアクセス経路と一対一で管理されるファイル形式で管理されるものに限らず、追加的なアクセス経路をレコード単位で管理するデータベース形式で管理しても良い。具体的には例えば、ショートカット設定要求を受け付けると、図２４に示すように指定されたアルバムフォルダ５６に保存されたデータベースファイル２００に画像ファイル３２のパス名とサムネイル画像データとを保存しておく。そして、アルバムフォルダ５６の指示が受け付けると、当該アルバムフォルダ５６に保存されたデータベースファイル２００に保存されているサムネイル画像データに基づいてアイコンを一覧表示する。さらに、それらのアイコンの１つが選択されると、同一レコードのパス名に基づいて画像ファイルを開き、画像ファイルの本画像データをＬＣＤ４に全画面表示してもよい。
【００４８】
また、第一実施例及び第二実施例では、電子アルバム装置を例示して説明したが、パーソナルコンピュータ、携帯電話などの携帯型情報端末等のファイル管理装置に本発明を適用してもよい。
また、図２５に示すように、レンズ、ＣＣＤエリアイメージセンサ、Ａ／Ｄ変換器、画像処理ＡＳＩＣ等で構成される撮像部１９を備えたディジタルカメラに本発明を適用してもよい。本発明の実施例によるディジタルカメラでは、被写体の光学像は撮像部１９によって画像データに変換され、変換された画像データはＪＰＥＧ等の所定のファイル形式でリムーバブルメモリ１６に保存され、リムーバブルメモリ１６に保存された画像ファイルは、上述の第一実施例及び第二実施例に準じて処理される。
【図面の簡単な説明】
【００４９】
【図１】本発明の第一実施例に係るフローチャート。
【図２】本発明の第一実施例に係る斜視図。
【図３】本発明の第一実施例に係るブロック図。
【図４】本発明の第一実施例に係るブロック図。
【図５】本発明の第一実施例に係る模式図。
【図６】本発明の第一実施例に係る模式図。
【図７】本発明の第一実施例に係る模式図。
【図８】本発明の第一実施例に係るフローチャート。
【図９】本発明の第一実施例に係る模式図。
【図１０】本発明の第一実施例に係る模式図。
【図１１】本発明の第一実施例に係る模式図。
【図１２】本発明の第一実施例に係るフローチャート。
【図１３】本発明の第一実施例に係る模式図。
【図１４】本発明の第一実施例に係る模式図。
【図１５】本発明の第一実施例に係る模式図。
【図１６】本発明の第一実施例に係る模式図。
【図１７】本発明の第一実施例に係る模式図。
【図１８】本発明の第一実施例に係る模式図。
【図１９】本発明の第一実施例に係る模式図。
【図２０】本発明の第一実施例に係るフローチャート。
【図２１】本発明の第一実施例に係る模式図。
【図２２】本発明の第一実施例に係る模式図。
【図２３】本発明の第一実施例に係るフローチャート。
【図２４】本発明の第一実施例に係る模式図。
【図２５】本発明の一実施例係るブロック図。
【符号の説明】
【００５０】
１  電子アルバム装置（ファイル管理装置）、４０  ショートカットファイル（ショートカットエントリ）、６０  ファイル手段、６２  ファイル指定手段、６４  ショートカット設定手段、６６  整理手段、６８  第二整理手段
【図１】
2005184332.tif 000003
【図２】
2005184332.tif 000004
【図３】
2005184332.tif 000005
【図４】
2005184332.tif 000006
【図５】
2005184332.tif 000007
【図６】
2005184332.tif 000008
【図７】
2005184332.tif 000009
【図８】
2005184332.tif 000010
【図９】
2005184332.tif 000011
【図１０】
2005184332.tif 000012
【図１１】
2005184332.tif 000013
【図１２】
2005184332.tif 000014
【図１３】
2005184332.tif 000015
【図１４】
2005184332.tif 000016
【図１５】
2005184332.tif 000017
【図１６】
2005184332.tif 000018
【図１７】
2005184332.tif 000019
【図１８】
2005184332.tif 000020
【図１９】
2005184332.tif 000021
【図２０】
2005184332.tif 000022
【図２１】
2005184332.tif 000023
【図２２】
2005184332.tif 000024
【図２３】
2005184332.tif 000025
【図２４】
2005184332.tif 000026
【図２５】
2005184332.tif 000027